(57)【要約】【課題】ショーケースの棚板の板部材として透明なガラス板を用いた場合にも美観が損なわれることのないフレーム部材を提供する。【解決手段】左右一対のブラケットの前端部上に掛け渡されるフレーム部材（４）を、折り重なって形成されており、短手方向の２つの端部は間隔を空けて起立しているフレーム部材とする。フレーム部材（４）は、一対のブラケット間に掛け渡すことができる左右方向の長さを有しており、鋼板等の１枚の板部材を折り重ねることによって形成されている。【選択図】図２
2018130493.tif 000002
【特許請求の範囲】
【請求項１】
左右一対のブラケットの前端部上に掛け渡されるフレーム部材であって、
折り重なって形成されており、短手方向の２つの端部は間隔を空けて起立しているフレーム部材。
【請求項２】
折り重なった領域に、前記フレーム部材を前記ブラケットに固定するための軸部と頭部を有するねじ又はリベットを挿通させる貫通孔が設けられており、
前記貫通孔は、前記頭部を前記フレーム部材から突き出すことなく据えることができる拡径部を上端に有する貫通孔である、請求項１記載のフレーム部材。
【請求項３】
折り重なった領域の下面に、前記ブラケットに対して位置決めを行う位置決め構造を有する、請求項１又は２記載のフレーム部材。
【請求項４】
前記位置決め構造は、折り重なった領域の下面から下方に突出し、前記ブラケットの側面及び／又は前面に接触する突出片を有する請求項３記載のフレーム部材。
【請求項５】
前記位置決め構造は、折り重なった領域の下面から下方に突出し、前記ブラケットの上面に設けられた凹部に嵌合する突出片を有する請求項３又は４記載のフレーム部材。
【請求項６】
請求項１乃至５のいずれかに記載のフレーム部材を備える棚板。
【請求項７】
請求項６記載の棚板を備えるショーケース。
【発明の詳細な説明】
【技術分野】
【０００１】
本発明は、棚板を構成する一部材であるフレーム部材、当該フレーム部材を備える棚板、及び、当該棚板を備えるショーケースに関する。
【背景技術】
【０００２】
コンビニエンスストアやスーパーマーケットなどにおいて、飲食品を陳列するためにショーケースが用いられている。このショーケースは、飲食品が載置される棚板を有している。
【０００３】
この棚板は、ショーケースの棚支柱に取り付けられる左右一対のブラケット、当該ブラケットの上に掛け渡される奥側フレーム部材及び手前側フレーム部材、並びに、これらのフレーム部材の上に載置される平板によって構成されている。見た目の美しさを演出するため、平板には透明なガラス板がしばしば用いられる。このような棚板は例えば特許文献１に開示されている。
【先行技術文献】
【特許文献】
【０００４】
【特許文献１】特開２０１２−８５９０５号公報
【発明の概要】
【発明が解決しようとする課題】
【０００５】
このような棚板１００の手前側は、図７に示されるように、ブラケット１２０の上に手前側フレーム部材１４０がリベット１７０によって取り付けられており、手前側フレーム部材１４０の上に平板１５０が載置されている。但し、リベット１７０の頭部１７１が手前側フレーム部材１４０の上面から飛び出しているため、実際には頭部１７１の上に平板１５０が載置されている。頭部１７１が平板１５０に接触するのを防止するため、手前側フレーム部材１４０と平板１５０との間にスペーサが配置されることもある。手前側フレーム部材１４０は、それぞれ側面視略Ｌ字形の第１のＬ字部材１４１及び第２のＬ字部材１４２が上下に積み重ねられるとともに、これらが数カ所のスポット溶接によって一体化されることによって構成されている。なお、図７中の１４３はスポット溶接によって発生したナゲットである。
【０００６】
スポット溶接することによって、手前側フレーム部材１４０の上面及び下面にはスポット溶接跡１４４ができる。このスポット溶接跡１４４は、塗装をしても塗膜越しに見えるものである。そのため、このような棚板１００においては、平板１５０として透明なガラス板を用いた場合、ガラス板越しに手前側フレーム部材１４０の上面のスポット溶接跡１４４が見えてしまい、棚板１００、ひいてはショーケースの美観を損ねるという問題があった。
【０００７】
また、リベット１７０の頭部１７１は第２のＬ字部材１４２の上面よりも上側に飛び出している。そのため、手前側フレーム部材１４０の上面と、平板１５０の下面との間には、リベット１７０の頭部１７１が介在する分の隙間Ｒが生じる。スペーサが配置される場合も同様である。この隙間Ｒには塵埃類Ｄが溜まる恐れがある。平板１５０として透明なガラス板を用いた場合、この隙間Ｒに塵埃類Ｄが溜まると、棚板１００、ひいてはショーケースの美観が著しく損なわれてしまう。その場合、店員による棚板１００の清掃作業が必要となってしまう。省力化が求められているコンビニエンスストア等の店舗において、この隙間Ｒに塵埃類Ｄが溜まるという問題を解決することが課題となっていた。
【０００８】
本発明は、以上のような現状に鑑みてなされたものであり、ショーケースの棚板の平板として透明なガラス板を用いた場合にも美観が損なわれることのないフレーム部材を提供することを課題とする。
【課題を解決するための手段】
【０００９】
本発明は、左右一対のブラケットの前端部上に掛け渡されるフレーム部材であって、折り重なって形成されており、短手方向の２つの端部は間隔を空けて起立しているフレーム部材を提供することによって上記課題を解決する。
【発明の効果】
【００１０】
本発明によれば、ショーケースの棚板の平板として透明なガラス板を用いた場合にも美観が損なわれることのないフレーム部材を提供することができる。
【図面の簡単な説明】
【００１１】
【図１】本発明に係るフレーム部材を用いた本発明に係る棚板の斜視図である。
【図２】本発明に係るフレーム部材の一実施例の右側面図である。
【図３】本発明に係るフレーム部材の一実施例の底面図である。
【図４】本発明に係るフレーム部材を用いた棚板の手前側の右側面視断面図である。
【図５】本発明に係るフレーム部材の他の実施例の底面図である。
【図６】本発明に係るフレーム部材の更に他の実施例の底面図である。
【図７】従来の棚板の手前側の右側面視断面図である。
【発明を実施するための形態】
【００１２】
以下、本発明について、図面を参照しながら詳細に説明する。
【００１３】
（１）棚板の構成
図１は、本発明を適用する一実施例に係る棚板１の斜視図である。この棚板１は、例えば、図示しないショーケースに取り付けられ、飲食品の陳列に用いられる。
【００１４】
棚板１は、左右一対のブラケット２、ブラケット２の後端側上部に掛け渡される奥側フレーム部材３、ブラケット２の前端側上部に掛け渡される手前側フレーム部材４、及び、これらのフレーム部材３、４の上に掛け渡される平板５によって構成されている。
【００１５】
ブラケット２は、垂直板２１と当該垂直板２１の上端から棚板１の内側に向けて延在する水平板２２とを有し、正面視略Ｌ字形状を有している。また、垂直板２１の奥側には、図示しないショーケースの棚支柱に設けられた溝に挿入されるとともにブラケット２を当該棚支柱に固定するための係合片２３が複数設けられている。
【００１６】
左右一対のブラケット２（水平板２２）の奥側上面には、奥側フレーム部材３がリベット等の固着部材によって取り付けられている。奥側フレーム部材３は、水平板３１と当該水平板の奥側から起立する垂直板３２とを有している。また、水平板３１の上面には、スペーサ３３が複数設けられている。
【００１７】
左右一対のブラケット２（水平板２２）の手前側上面には、手前側フレーム部材４がねじ又はリベットによって取り付けられている。手前側フレーム部材４の詳細な構造及びブラケット２と手前側フレーム部材４の取り付け構造については後に詳しく説明する。
【００１８】
奥側フレーム部材３及び手前側フレーム部材４の上には、平板５が載置されている。平板５は透明なガラス板である。なお、平板５の材料として、透明材料、例えばガラスやアクリル等、を用いることによって、棚板１ひいては棚板１を用いるショーケースの美観を向上させることができるが、平板５として透明ではないものが使用可能であることは言うまでもない。
【００１９】
（２）手前側フレーム部材４の構造
次に、手前側フレーム部材４の右側面図である図２を参照しながら、手前側フレーム部材４の構造を説明する。手前側フレーム部材４は、一対のブラケット２間に掛け渡すことができる左右方向の長さを有しており、鋼板等の１枚の板部材を折り重ねることによって形成されている。なお、手前側フレーム部材４を形成する板部材は、鋼等の金属や、アクリル等の合成樹脂でできた板である。
【００２０】
１枚の板部材を折り重ねることによって形成される折り重なった領域は、下側の第１平板部４１と上側の第２平板部４２からなる。第１平板部４１は、ブラケット２（水平板２２）の上面に接する下面４１Ｂを有する。第２平板部４２は、第１平板部４１の上に重ねられており、手前側フレーム部材４の後端において第１の折り曲げ部４５を介して第１平板部４１に接続されている。第１の折り曲げ部４５は板部材を１８０度折り曲げることによって形成された部分である。
【００２１】
手前側フレーム部材４の短手方向の２つの端部は、互いに間隔を空けて起立しており、第１平板部４１の手前側端部から起立して延在する第３平板部４３と、第２平板部４２の手前側端部から起立して延在する第４平板部４４とを形成している。言い換えると、第１平板部４１と第３平板部４３は、第２の折り曲げ部４６を介して接続されており、第２平板部４２と第４平板部４４は、第３の折り曲げ部４７を介して接続されている。第２の折り曲げ部４６及び第３の折り曲げ部４７は、いずれも板部材を９０度折り曲げることによって形成された部分である。
【００２２】
第３平板部４３と第４平板部４４との間には、空間Ｓが形成されている。この空間Ｓは後に説明するように、プライスカードやプライスレール等の取り付けに利用される。
【００２３】
第１平板部４１と第２平板部４２とからなる折り重なった領域の左右両側それぞれに、貫通孔４８が設けられている。貫通孔４８は、第１平板部４１に設けられた小径孔４９と、第２平板部４２に設けられた大径孔５０（本発明の拡径部に相当）が連続することによって構成されている。小径孔４９の直径は、手前側フレーム部材４をブラケット２に固定する際に使用されるねじ又はリベットの軸部は通すものの、当該ねじ又はリベットの頭部は通さない寸法とされている。また、大径孔５０の直径は、前記ねじ又はリベットの頭部を通す寸法とされている。また、第２平板部４２（すなわち、手前側フレーム部材４を構成する板部材）の厚みは、前記ねじ又はリベットの頭部の厚み以上である。よって、前記ねじ又はリベットの頭部を、第２平板部４２の上面よりも上方に突き出すことなく、大径孔５０内に据えることができる。
【００２４】
なお、手前側フレーム部材４を構成する板部材の厚みに対して、前記ねじ又はリベットの頭部の厚みが十分に小さい場合には、第１平板部４１に小径孔４９の一部が設けられているとともに第２平板部４２に小径孔４９の他の部分と大径孔５０が連続して設けられていてもよい。また、手前側フレーム部材４を構成する板部材の厚みよりも、前記固着部材の頭部の厚みが大きい場合には、第１平板部４１に小径孔４９と大径孔５０の一部が連続して設けられているとともに第２平板部４２に大径孔５０の他の部分が設けられていても良い。
【００２５】
（３）ブラケットと手前側フレーム部材の取り付け構造
図２及び図３に示されるように、第１平板部４１の下面４１Ｂには、手前側フレーム部材４をブラケット２に取り付ける際にこれらの部材を位置決めするための位置決め構造６が設けられている。本実施例では、位置決め構造６として、第１平板部４１の下面４１Ｂの左右両側それぞれに、直方体状の突出片６１及び正四角柱状の突出片６２が設けられている。
【００２６】
これらの突出片６１、６２は、それぞれ、図３中に破線で示されるブラケット２の内側側面２Ｉ及び前面２Ｆに当接可能な位置に設けられている。よって、手前側フレーム部材４をブラケット２に対して容易且つ正確に位置決めすることができる。
【００２７】
ブラケット２と手前側フレーム部材４とが位置決めされると、図４に示されるように、ブラケット２に設けられたブラケット孔２４と、手前側フレーム部材４に設けられた貫通孔４８とが重なった状態となる。この状態でリベット７によって、ブラケット２と手前側フレーム部材４とが固定される。なお、リベット７に代えてボルト等のねじを用いてもよい。
【００２８】
このとき、リベット７の頭部７１の厚みは、第２平板部４２の厚みよりも小さい。そのため、頭部７１は第２平板部４２の上面４２Ｕから飛び出さない。よって、平板５の下面５Ｂと第２平板部４２の上面４２Ｕとの間に隙間が生じないように、第２平板部４２上に平板５を載置することができる。したがって、平板５の下面５Ｂと第２平板部４２の上面４２Ｕとの間に塵埃類が溜まることを未然に防止することができ、棚板１ひいてはショーケースの美観が損なわれることを防止することができる。
【００２９】
また、手前側フレーム部材４は、１枚の板部材を折り曲げることによって形成されており、第１平板部４１と第２平板部４２とはスポット溶接で固定されている訳ではないので、第２平板部４２の上面４２Ｕにはスポット溶接跡がない。よって、透明な平板５を介して第２平板部４２の上面４２Ｕにスポット溶接跡が見えることはなく、棚板１ひいてはショーケースの美観が向上する。
【００３０】
本実施例においては、奥側フレーム部材３の上面にスペーサ３３が設けられ、平板５の奥側の高さが調整されているため、第２平板部４２の上面４２Ｕに対して平板５の下面５Ｂを面接触させることができる。なお、奥側フレーム部材３の水平板３１の厚みと、手前側フレーム部材４の第１平板部４１と第２平板部４２の厚みの合計の差が小さい場合は、スペーサ３３がなくても、第２平板部４２の上面４２Ｕと平板５の下面５Ｂとの交差角度は小さくなる。つまり、第２平板部４２の上面４２Ｕと平板５の下面５Ｂとの間にできる隙間は小さくなる。その場合、当該隙間に塵埃類が溜まる恐れが小さくなるので、スペーサ３３はなくても良い。
【００３１】
（４）棚板１の使用態様
上に説明した棚板１は、棚支柱に設けられた溝にブラケット２の係合片２３（図１参照）が挿入されることによって、ショーケースに固定される。棚板１は、平板５が水平又は平板５の手前側がやや低くなるような姿勢で固定される。ショーケースに固定された棚板１（平板５）の上に、飲食品等の商品が陳列される。第３平板部４３及び第４平板部４４は高さが比較的低いので、商品陳列作業を棚板１の手前側から行う場合、手前側フレーム部材４が作業の妨げとなることはない。
【００３２】
一方、手前側フレーム部材４の第４平板部４４の高さは、棚板１上に載置された商品が手前側に落下するのを防止することが可能な高さとなっている。よって、棚板１は、例えば側面視Ｌ字形状を有する透明アクリル板からなる商品落下防止部材を別途用いなくても、商品を手前側に落下させる恐れなく陳列することができる。また、このような商品落下防止部材がないので、手前側からの商品陳列作業が行いやすい。
【００３３】
更に、このような商品落下防止部材は、店員による商品陳列作業時や、顧客による商品取り出し行為時に、手や商品等が衝突して破損する恐れがあり、その場合、ショーケースの美観を著しく損ねてしまうという問題を有している。これに対し、上記棚板１を用いれば、そもそもこのような商品落下防止部材を用いる必要がないので、商品落下防止部材の破損によるショーケースの美観欠損という問題は生じない。なお、商品の重量や大きさ等に応じて、棚板１と上記の商品落下防止部材を併用することも可能である。
【００３４】
また、棚板１においては、手前側フレーム部材４の第３平板部４３と第４平板部４４とをプライスレールとして機能させることができる。すなわち、プライスカード等を、第３平板部４３と第４平板部４４との間の空間Ｓに立てたり、第３平板部４３に掛けてぶら下げたりすることができる。また、透明な樹脂等で形成されたプライスレールを別途用意し、これを第３平板部に掛けてぶら下げて取り付けることも可能である。いずれの場合も、プライスカードやプライスレールと、棚板１上に陳列される商品との間には、第４平板部４４が存在することになる。よって、これらのプライスカードやプライスレールに商品落下防止機能を持たせる必要はなく、それらの構造を簡易なものとすることができる。また、これらのプライスカードやプライスレールが商品と衝突して破損することも、第４平板部４４によって防止することができる。
【００３５】
（５）他の実施例
本発明に係るフレーム部材の他の実施例を図５に示す。なお、図５には、手前側フレーム部材４の右側端部下面のみが示されているが、手前側フレーム部材４の左側端部下面も同様の構造となっていることは言うまでもない。
【００３６】
図５（Ａ）には、破線で示されるブラケット２の外側側面２Ｏに当接する直方体状の突出片６３と、ブラケット２の前面２Ｆに当接する円柱状の突出片６４とを有する位置決め構造６が示されている。このような位置決め構造６によっても、先に説明した実施例と同様に、手前側フレーム部材４をブラケット２に対して位置決めすることができる。
【００３７】
図５（Ｂ）には、破線で示されるブラケット２の内側側面２Ｉ及び前面２Ｆに当接するとともに平面視Ｌ字形状を有する突出片６５を有する位置決め構造６が示されている。このような位置決め構造６によっても、先に説明した実施例と同様に、手前側フレーム部材４をブラケット２に対して位置決めすることができる。
【００３８】
図５（Ｃ）には、破線で示されるブラケット２の内側側面２Ｉ、外側側面２Ｏ及び前面２Ｆに当接する円柱状の突出片６６、６７及び６８を有する位置決め構造６が示されている。このような位置決め構造６によっても、先に説明した実施例と同様に、手前側フレーム部材４をブラケット２に対して位置決めすることができる。
【００３９】
本発明に係るフレーム部材の更に他の例を図６に示す。図６（Ａ）はブラケット２の前端部周辺の正面図、図６（Ｂ）は同右側面図である。なお、図６には、右側のブラケット２の周辺のみが示されているが、左側のブラケット２の周辺も同様の構造となっていることは言うまでもない。
【００４０】
図６に示されるように、ブラケット２がその水平板２２の上面２２Ｕに凹部２５を有する場合、位置決め構造６は、第１平板部４１の下面４１Ｂに設けられるとともに凹部２５に嵌合する突出片６９であってもよい。このような位置決め構造６によっても、先に説明した実施例と同様に、手前側フレーム部材４をブラケット２に対して位置決めすることができる。
【００４１】
なお、位置決め構造６を構成する突出片の形状や数は、ブラケット２と手前側フレーム部材４との間で位置決めできるものであればどのようなものであってもよく、これまでに例示したものに限られないことは言うまでもない。例えば、ブラケット２に、図６に示される凹部２５が設けられている場合、手前側フレーム部材４に、図３に示される突出片６１、６２と、図６に示される突出片６９を設けても良い。
【００４２】
また、右側のブラケット２に対する位置決め構造６と左側のブラケット２に対する位置決め構造６が異なるものであってもよく、例えば、右側のブラケット２に対する位置決め構造６が図５（Ａ）に示されるものであり、左側のブラケット２に対する位置決め構造６が図５（Ｂ）に示されるものであっても良い。
【００４３】
以上本発明の実施例について説明したが、本発明は上記実施例に限定されるものではなく、本発明の趣旨を逸脱しない範囲で種々の変更が可能である。
【産業上の利用可能性】
【００４４】
本発明は、コンビニエンスストアやスーパーマーケット等の店舗で用いられるショーケース、当該ショーケースで用いられる棚板、及び、当該棚板を構成する手前側フレーム部材に用いるのに好適である。
【符号の説明】
【００４５】
１  棚板
２  ブラケット
２１  垂直板
２２  水平板
２３  係合片
２４  ブラケット孔
２５  凹部
３  奥側フレーム部材
３１  水平板
３２  垂直板
３３  スペーサ
４  手前側フレーム部材
４１  第１平板部
４２  第２平板部
４３  第３平板部
４４  第４平板部
４５  第１の折り曲げ部
４６  第２の折り曲げ部
４７  第３の折り曲げ部
４８  貫通孔
４９  小径孔
５０  大径孔
５  平板
６  位置決め構造
６１〜６９  突出片
７  リベット
７１  頭部
【図１】
2018130493.tif 000003
【図２】
2018130493.tif 000004
【図３】
2018130493.tif 000005
【図４】
2018130493.tif 000006
【図５】
2018130493.tif 000007
【図６】
2018130493.tif 000008
【図７】
2018130493.tif 000009